(57)【要約】      （修正有）【課題】上下に簡単に分離できるとともに、分離に際して切り滓が生じず、内容物を良好に収容することができる。【解決手段】容器１の容器本体２は、互いに分離可能な下部構成体１０と上部構成体２０を有する。下部構成体１０は、底部１１と、下端がこの底部１１に連なり上端が開口した筒状の下側胴部１２とを有している。上部構成体２０は、上下端が開口した筒状の上側胴部２２を有している。下側胴部１２の少なくとも上端部と上側胴部２２の少なくとも下端部は、上方に向かって径が漸増するような同角のテーパをなし、上側胴部２２の下端開口縁２２ｂの外径が下側胴部１２の上端開口縁１２ａの内径より小さく、上側胴部２２の下端部が重ね代Ｗをもって下側胴部１２の上端部の内周に嵌め込まれる。【選択図】図１
2015199504.tif 000002
【特許請求の範囲】
【請求項１】
互いに分離可能な下部構成体と上部構成体を有する容器本体を備え、
上記下部構成体が、底部と、下端がこの底部に連なり上端が開口した筒状の下側胴部とを有し、
上記上部構成体が、上下端が開口した筒状の上側胴部を有し、
上記上側胴部が上記下側胴部の内周に嵌め込まれ、この下側胴部より上方に突出していることを特徴とする容器。
【請求項２】
上記上側胴部の下部が上記下側胴部の上部に嵌め込まれ、上記上側胴部と下側胴部は、互いに当たることにより上部構成体の下方への移動を制限する係合部を有していることを特徴とする請求項１に記載の容器。
【請求項３】
上記上側胴部および下側胴部の係合部は、上側胴部と下側胴部の重ね代の領域において、環状をなして形成されていることを特徴とする請求項２に記載の容器。
【請求項４】
上記下側胴部の少なくとも上部と上記上側胴部の少なくとも下部が、上方に向かって横断面積が漸増するようなテーパをなすことを特徴とする請求項３に記載の容器。
【請求項５】
上記上側胴部と下側胴部のテーパ角が等しく、上記重ね代において、上側胴部の下端部と下側胴部の上端部が面接触し、上記重ね代での上側胴部外周面と下側胴部内周面が上記係止部として提供されることを特徴することを特徴とする請求項４に記載の容器。
【請求項６】
上記上側胴部および下側胴部の横断面形状が円形であり、上側胴部の下端開口縁の外径が下側胴部の上端開口縁の内径と等しいかこれより小さいことを特徴とする請求項４または５に記載の容器。
【請求項７】
上記下側胴部は、上記重ね代を構成する上端部より下方の部位も当該上端部と等しい角のテーパをなし、
上記上側胴部は、上記重ね代を構成する下端部より上方の部位も当該下端部と等しい角のテーパをなし、上記容器本体が錐台形状をなしていることを特徴とする請求項４〜６のいずれかに記載の容器。
【請求項８】
さらに蓋を備え、この蓋は、第１係止部と、この第１係止部より径方向内側に形成された第２係止部とを有し、
上記蓋が上記上側胴部の上端開口を覆った状態において、上記第１係止部が当該上端開口縁に係止されることにより上側胴部に対する蓋の位置決めがなされ、
上記蓋が上記下側胴部の上端開口を覆った状態において、上記第２係止部が当該上端開口縁に係止されることにより下側胴部に対する蓋の位置決めがなされることを特徴とする請求項１〜７のいずれかに記載の容器。
【請求項９】
上記蓋はさらに支持部と第３係止部を有し、この第３係止部は、上記支持部より径方向外側で上記第２係止部より径方向内側に位置し、
容器積み重ねの際に、下段の容器の蓋の上記支持部が上段の容器の下部構成体の底部を面接触状態で支持し、当該蓋の上記第３係止部が当該下部構成体の下端部を係止することにより、上段の容器を下段の容器に対して位置決めすることを特徴とする請求項８に記載の容器。
【請求項１０】
上記下部構成体は、下方に突出する環状突起を有し、
上記蓋は、上記支持部と上記第２係止部との間に環状溝形状の収容部を有し、この収容部に容器積み重ね状態で上段の容器の下部構成体の上記環状突起が収容され、
上記収容部の径方向内側の側壁または径方向外側の側壁が、上記第３係止部となることを特徴とする請求項９に記載の容器。
【発明の詳細な説明】
【技術分野】
【０００１】
本発明は、分離可能な容器に関する。
【背景技術】
【０００２】
アイスクリームやシャーベット等の販売店では、店頭にアイスクリームやシャーベット等の内容物を収容した大型の容器を設置し、少量ずつ掬って販売するのが一般的である。この容器は、比較的深く、内容物の残量が少なくなると、店員が容器に深く手を入れて掬わねばならず、作業性が悪いばかりか、見栄えも悪い。
【０００３】
そのため、容器の内容物の残量が少なくなった場合には、これを冷凍庫で保管し、その代りに内容物が満杯の新しい容器を店頭に設置する。そして、店頭の容器の内容物が減ってきた時に、保管された容器に残された内容物を店頭の容器に移して補充する。
【０００４】
残量が少ない容器をそのまま冷凍庫に保管するとスペースが無駄になるので、通常は、容器の胴部をカッターで切断してその高さを減じてから蓋をし、保管している。
しかし、容器をカッターで切断する作業は、煩雑であるとともに熟練を要し、切り滓が発生して内容物を汚す可能性も残る。
【０００５】
そこで、出願人は上記容器の上部を下部から簡単に分離できる構造を模索してきた。例えば、容器の胴部に特許文献１に示すようなミシン目からなる２本の切断線を形成しておき、この切断線の間の帯状の領域を引いて容器を上下に分離することも検討した。
【先行技術文献】
【特許文献】
【０００６】
【特許文献１】特開平１１−３２１８５６号公報
【発明の概要】
【発明が解決しようとする課題】
【０００７】
しかし、特許文献１のように、容器の胴部に切断線を形成した場合でも、切り離し作業が煩雑であり、この切り離し作業において微細な切り滓が発生して内容物を汚す可能性が残る。さらに、この切断線の微小の穴から内容物が浸み出る可能性もある。
【課題を解決するための手段】
【０００８】
本発明は上記課題を解決するためになされたもので、互いに分離可能な下部構成体と上部構成体を有する容器本体を備え、上記下部構成体が、底部と、下端がこの底部に連なり上端が開口した筒状の下側胴部とを有し、上記上部構成体が、上下端が開口した筒状の上側胴部を有し、上記上側胴部が上記下側胴部の内周に嵌め込まれ、この下側胴部より上方に突出していることを特徴とする。
上記構成によれば、上部構成体の下端部は下部構成体の上端部内周に嵌め込まれているので、簡単に分離可能であり、切り滓も発生しない。しかも、内容物に多少の流動性があっても、嵌め込みの重ね代があるため、内容物の浸み出しを抑制できる。
【０００９】
好ましくは、上記上側胴部の下部が上記下側胴部の上部に嵌め込まれ、上記上側胴部と下側胴部は、互いに当たることにより上部構成体の下方への移動を制限する係合部を有している。
この構成によれば、上側胴部と下側胴部の重ね代を減じることができ、容器材料の無駄を抑制できる。
【００１０】
好ましくは、上記上側胴部および下側胴部の係合部は、上側胴部と下側胴部の重ね代の領域において、環状をなして形成されている。
この構成によれば、互いに当たる環状の係止部が内容物の漏れをより一層抑制することができる。
【００１１】
好ましくは、上記下側胴部の少なくとも上部と上記上側胴部の少なくとも下部が、上方に向かって横断面積が漸増するようなテーパをなしている。
この構成によれば、上側胴部の下側胴部への嵌め込み作業を容易に行うことができる。
【００１２】
好ましくは、上記上側胴部と下側胴部のテーパ角が等しく、上記重ね代において、上側胴部の下端部と下側胴部の上端部が面接触し、上記重ね代での上側胴部外周面と下側胴部内周面が上記係止部として提供される。
この構成によれば、上側胴部と下側胴部の連結状態を安定して維持できるとともに、流動性のある内容物の漏れを最小限にするか無くすことができる。
【００１３】
好ましくは、上記上側胴部および下側胴部の横断面形状が円形であり、上側胴部の下端開口縁の外径が下側胴部の上端開口縁の内径と等しいかこれより小さい。
この構成によれば、製造が容易である。
【００１４】
好ましくは、上記下側胴部は、上記重ね代を構成する上端部より下方の部位も当該上端部と等しい角のテーパをなし、上記上側胴部は、上記重ね代を構成する下端部より上方の部位も当該下端部と等しい角のテーパをなし、上記容器本体が錐台形状をなしている。
この構成によれば、空の容器本体を重ねることができ、その保管、搬送を効率良く行うことができる。
【００１５】
好ましくは、さらに蓋を備え、この蓋は、第１係止部と、この第１係止部より径方向内側に形成された第２係止部とを有し、上記蓋が上記上側胴部の上端開口を覆った状態において、上記第１係止部が当該上端開口縁に係止されることにより上側胴部に対する蓋の位置決めがなされ、上記蓋が上記下側胴部の上端開口を覆った状態において、上記第２係止部が当該上端開口縁に係止されることにより下側胴部に対する蓋の位置決めがなされる。
この構成によれば、蓋は、上部構成体に被せた状態で位置決めされて安定した装着状態を維持できるとともに、上部構成体を除いて下部構成体に直接被せる場合にも位置決めされて安定した装着状態を維持できる。
【００１６】
好ましくは、上記蓋はさらに支持部と第３係止部を有し、この第３係止部は、上記支持部より径方向外側で上記第２係止部より径方向内側に位置し、容器積み重ねの際に、下段の容器の蓋の上記支持部が上段の容器の下部構成体の底部を面接触状態で支持し、当該蓋の上記第３係止部が当該下部構成体の下端部を係止することにより、上段の容器を下段の容器に対して位置決めする。
この構成によれば、容器を安定して積み重ねることができる。
【００１７】
上記下部構成体は、下方に突出する環状突起を有し、上記蓋は、上記支持部と上記第２係止部との間に環状溝形状の収容部を有し、この収容部に容器積み重ね状態で上段の容器の下部構成体の上記環状突起が収容され、上記収容部の径方向内側の側壁または径方向外側の側壁が、上記第３係止部となる。
この構成によれば、上段の容器の環状突起を蓋の収容部に収容するため、蓋の支持部の容器本体からの高さを抑制でき、容器を安定して積み重ねることができる。
【発明の効果】
【００１８】
本発明の容器は、下部構成体と上部構成体を簡単に分離できるとともに、分離に際して切り滓が生じず、内容物を良好に収容することができる。
【図面の簡単な説明】
【００１９】
【図１】本発明の第１実施形態をなす容器を示す正面図である。
【図２】同容器を分解して示す正面図である。
【図３】同容器の右半分の拡大縦断面図である。
【図４】同容器を分解して示す右半分の拡大縦断面図である。
【図５】同容器を複数段に積み重ねた状態を示す右半分の拡大縦断面図である。
【図６】同複数段の容器を分離して示す右半分の拡大縦断面図である。
【図７】積み重ねられた上下段の容器の要部拡大縦断面図である。
【図８】図７の上下段の容器を分離して示す要部拡大縦断面図である。
【図９】同容器から上部構成体を外し、下部構成体に蓋を装着することにより構成された低い容器の右半分の拡大縦断面図である。
【図１０】図９の低い容器の積み重ね状態を示す要部拡大縦断面図である。
【図１１】図１０の上下段の低い容器を分離して示す要部拡大縦断面図である。
【図１２】同容器の容器本体を積み重ねた状態を示す要部拡大縦断面図である。
【図１３】同容器の蓋を重ねた状態で示す要部拡大縦断面図である。
【図１４】本発明の第２実施形態をなす容器の正面図である。
【図１５】（Ａ）は図１４のＡ−Ａ矢視拡大断面図であり、（Ｂ）は図１４のＢ−Ｂ矢視拡大断面図である。
【図１６】本発明の第３実施形態をなす容器の正面図である。
【図１７】図１６のＣ−Ｃ矢視拡大断面図である。
【図１８】本発明の第４実施形態をなす容器において、蓋を上部構成体に被せた状態で示す要部拡大縦断面図である。
【図１９】同第４実施形態において、蓋を下部構成体に被せることにより得られた低い容器を、積み重ねた状態で示す要部拡大縦断面図である。
【図２０】同第４実施形態において、蓋を重ねた状態で示す要部拡大縦断面図である。
【図２１】本発明の第５実施形態をなす容器において、蓋を上部構成体に被せた状態で示す要部拡大縦断面図である。
【図２２】同第５実施形態において、蓋を下部構成体に被せるこ途によりえら得た低い容器を、積み重ねた状態で示す要部拡大縦断面図である。
【図２３】同第５実施形態において、蓋を重ねた状態で示す要部拡大縦断面図である。
【図２４】本発明の第６実施形態をなす容器の正面図である。
【図２５】本発明の第７実施形態をなす容器と蓋の要部拡大縦断面図である。
【図２６】本発明の第８実施形態をなす容器と蓋の要部拡大縦断面図である。
【図２７】（Ａ）〜（Ｆ）は、さらに異なる実施形態を、厚み、テーパ、段差等を誇張して示す要部の概略縦断面図である。
【発明を実施するための形態】
【００２０】
以下、本発明の第１実施形態について、図１〜図１３を参照しながら説明する。
図１〜図４に示すように容器１は、例えばアイスクリームやシャーベット等の販売店において、店頭に設置される大型の容器であり、互いに分離可能な紙製の下部構成体１０と上部構成体２０とからなる容器本体２を備えるとともに、樹脂製の蓋３０とを備えている。
【００２１】
上記下部構成体１０は、円板形状の底部１１と、下端がこの底部１１に連なり上端が開口した筒状の胴部１２（下側胴部）と、これら底部１１と胴部１２の境から下方に突出する環状突起１３とを有している。図において、胴部１２の上端開口縁を符号１２ａで示す。上記胴部１２は、下端から上端に向かって漸次径が大きくなるようなテーパをなし、全体として円錐台形状となっている。
【００２２】
上記胴部１２は、紙シートの一方の面に樹脂を積層させた扇形状のブランクにより構成されている。このブランクは、同心円をなす大径の外周縁と小径の内周縁と、これら周縁と直交する両側縁とを有している。このブランクを円錐台形状のマンドレルに巻き付け、両側縁を重ね合わせて熱を加えて溶着することにより、円錐台形状の胴部１２が得られる。上記樹脂層は内周側に配される。
【００２３】
上記底部１１も紙シートの一方の面に樹脂を積層させたブランクからなる。底部１１では樹脂層が上面に配される。
上記底部１１の周縁部を折り曲げ、上記胴部１２の下端縁部を折り返して上記底部１１の周縁部に重ねることにより、上記環状突起１３が得られる。
【００２４】
上記上部構成体２０は、上下端が開口した筒状の胴部２２（上側胴部）を有している。図において胴部２２の上端開口縁のカール部を符号２２ａで示し、下端開口縁を符号２２ｂで示す。胴部２２にはカール部２２ａから所定間隔下方に離れて隆起部２２ｃが形成されている。この隆起部２２ｃは、環状をなし径方向外方向に突出している。
上部構成体２０の胴部２２も下部構成体１０の胴部１２と同様に扇形状のブランクの両側縁を重ね合わせて溶着することにより得られる。
【００２５】
上記上部構成体２０の胴部２２は、上記下部構成体１０の胴部１２と等しい角度のテーパをなしており、下端から上端に向かって漸次径が大きくなっていて、全体として円錐台形状をなしている。
上記胴部２２の下端開口縁２２ｂの外径Ｄ２は、胴部１２の上端開口縁１２ａの内径Ｄ１より小さく、胴部２２の下端部（下部）は、重ね代Ｗで胴部１２の上端部（上部）の内周に面接触した状態で嵌め込まれている。この重ね代Ｗは、胴部１２，２２のテーパ角と、上記径Ｄ１，Ｄ２の差によって決まる。
上記重ね代Ｗでの胴部１２の上端部の内周面と胴部２２の下端部の外周面は、面接触することにより（互いに当たることにより）、上部構成体２０の下方への移動を禁じており、その全域が環状の係合部として提供される。
【００２６】
上記蓋３０は例えば樹脂シートを円盤形状に成形することにより得られる。図３、図４に示すように、蓋３０は、平坦な円形をなし蓋３０の中心を含む広い領域を占める支持部３１と、この支持部３１を囲むようにして配置されるとともに径方向外方向に向かって順に形成され同心の環状をなす収容部３２，内側当接部３３（第２当接部）、係止凸部３４（第２係止部）、外側当接部３５（第１当接部）、周縁部３６（第１係止部）とを有している。
【００２７】
図７、図８に最も良く示すように、上記当接部３３，３５は平坦で、支持部３１と同一高さをなしている。
上記収容部３２は、下方に突出し上方が開放された環状溝形状をなしており、底部３２ａと外側の側壁３２ｂ（第３係止部）と内側の側壁３２ｃとを有している。内側の側壁３２ｃには、径方向外方向に突出する凸部３２ｄが周方向に間隔をおいて複数形成されている。
上記係止凸部３４は、環状に形成する代わりに、周方向に間隔をおいて複数形成してもよい。
【００２８】
上記周縁部３６は、上記当接部３５の外周縁から下方に折り曲げられており、径方向内側に突出する環状の凸部３６ａが周方向に間隔をおいて複数形成されている。この凸部３６ａは、環状に形成してもよい。
【００２９】
上記構成をなす容器１の作用について説明する。上部構成体２０を下部構成体１０に嵌め込んで構成される容器本体２に、アイスクリームやシャーベット等の内容物を充填し、その後で蓋３０を被せることにより、図１、図３に示す密閉された容器１が得られる。
【００３０】
上記容器１において、上部構成体２０の胴部２２の下端部が下部構成体１０の胴部１２の上端部内周に重ね代Ｗをもって嵌め込まれているので、両者の間から内容物が漏れ出るのを抑制できる。しかも上記重ね代Ｗにおいて、胴部１２，２２が面接触しているので、より確実に内容物の漏出を防止できる。
【００３１】
容器本体２に蓋３０を被せた状態では、図７、図８に示すように、蓋３０の当接部３５が上部構成体２０の上端開口縁のカール部２２ａに載る。蓋３０の周縁部３６がこのカール部２２ａの外周に係止されるため、蓋３０は位置決めされて（センタリングされて）径方向の移動を禁じられる。また、この状態で周縁部３６の凸部３６ａがカール部２２ａの下側に係止されるため、蓋３０が不用意に外れないようになっている。
上記蓋３０の支持部３１は当接部３５と同じ高さのため、内容物を上部構成体２０のカール部２２ａまで充填した場合、支持部３１は内容物にほぼ接する。
【００３２】
上記のようにアイスクリームが充填されて密閉された容器１は、図５〜図８に示すように複数段に積み重ねられた状態で、工場から店舗へと搬送され、冷凍庫で保管される。この積み重ね状態では、上段の容器１の底部１１が下段の容器１の蓋３０の支持部３１に面接触状態で載る。また、上段の容器１の環状突起１３が、下段の容器１の蓋３０の収容部３２に入り込み、その下端が収容部３２の底部３２ａに載る。
【００３３】
下段の容器１の蓋３０の支持部３１は、上段の容器１の底部１１を面接触状態で支持するので、上段の容器１の荷重を分散して負担できる。本実施形態では、下段の容器１の内容物が蓋３０の支持部３１を介して上段の容器１の荷重を負担するので、蓋３０の荷重負担を軽減できる。
【００３４】
上記積み重ね状態で、上段の容器１の環状突起１３が下段の容器１の蓋３０の収容部３２に入り込み、この収容部３２の外側の側壁３２ｂに係止される。これにより上段の容器１が下段の容器１に対して位置決めされ（センタリングされ）、径方向移動が抑制される。その結果、容器１の安定した積み重ね状態を維持できる。
【００３５】
店舗では、蓋３０を外して容器本体２を店頭に設置し、所定量ずつ容器１本体２内の内容物を掬って販売する。容器本体２の内容物の残量が減って、下部構成体１０の上端開口縁１２ａより低くなったら、この容器本体２を店頭から外し、内容物を満杯に収容した新しい容器本体２と交換する。
【００３６】
上記の残量が少ない容器１については、上部構成体２０を下部構成体１０から抜き取って廃棄し、内容物が残った下部構成体１０に、図９〜図１１に示すように蓋３０を被せ、低い容器１’を作る。この上部構成体２０の抜き取り作業は簡単であり、切り滓等も発生しない。
【００３７】
上記低い容器１’では、蓋３０の当接部３３が下部構成体１０の上端開口縁１２ａに載り、下部構成体１０の上端開口を塞ぐ。この状態で、係止凸部３４の内周側が下部構成体１０の上端開口縁１２ａに係止されるため、蓋３０の位置決め（センタリング）がなされる。
【００３８】
上記低い容器１’は複数段に積み重ねられて冷凍庫に保管される。この低い容器１’の積み重ね状態での下部構成体１０と蓋３０との関係は、容器１の積み重ねと同様であるので説明を省略する。なお、容器１と低い容器１’を混在させて積み重ねることもできる。
低い容器１’に収容された内容物は、店頭の容器１の内容物の残量が少なくなった時の補充に用いることができる。
【００３９】
本実施形態では、容器本体２と蓋３０を別にしてそれぞれを重ね合わせた状態で、容器製造工場から内容物充填工場へと搬入することができる。
容器本体２は全体が円錐台形状をなしているので、図１２に示すように、上段の容器本体１を下段の容器本体２に嵌め込むようにして重ねることができる。
本実施形態では、上部構成体２０の胴部２２に、カール部２２ａより所定間隔離れて隆起部２２ｃが形成されている。そのため、上段の容器本体２の隆起部３３ｃが下段の容器本体２のカール部２２ａに係止され、上段の容器本体２が下段の容器本体２に深く入り込まないので、取り出しが容易である。
【００４０】
蓋３０は図１３に示すように積み重ねられる。収容部３２の側壁３２ｂ、３２ｃが底部３２ａに向かって間隔を狭めるようなテーパをなしているので、上段の蓋３０の収容部３２が下段の蓋３０の収容部３２に入り込むようにして積み重ねられる。上段の蓋３０の側壁３２ｃの下端部が下段の蓋３０の側壁３２ｃの上端部に係止されるため、径方向の相対移動を禁じられる。
【００４１】
上段の蓋３０の収容部３２の底部３２ａが、下段の蓋３０の収容部３２の凸部３２ｄに載るため、蓋３０同士は間隔をあけて積み重ねることができる。なお、本実施形態では、蓋３０の当接部３５と周縁部３６の境部３７が傾斜しており、この傾斜した境部３７に周縁部３６の凸部３６ａの傾斜した下側部が当たることによっても、径方向移動を禁じられるとともに、上下段の蓋３０の間隔が維持される。
【００４２】
以下、本発明の他の実施形態について、図面を参照しながら説明する。これら実施形態において、先行して説明した実施形態に対応する構成部には同番号を付してその詳細な説明を省略する。
【００４３】
図１４、図１５は、本発明の第２実施形態をなす容器１を示す。前述したように下部構成体１０の胴部１２および上部構成体２０の胴部２２は、扇形のブランクの両側縁部を溶着等の手段で接合することにより得られる。この接合部を図１４、図１５において符号１２ｘ、２２ｘで示す。この接合部１２ｘ、２２ｘにおいて、外側に位置する側縁を符号１２ｙ、２２ｙで示し、内側に位置する側縁を符号１２ｚ、２２ｚで示す。
【００４４】
上記接合部１２ｘ、２２ｘにより、胴部１２，２２は厳密には横断面が円形をなさず、特に接合部１２ｘ、２２ｘで歪みが最大となる。そのため、上記胴部１２，２２の重ね代Ｗにおいて、胴部１２の接合部１２ｘと胴部２２の外周との間に僅かな隙間が形成され、胴部２２の接合部２２ｘと胴部１２の内周との間にも僅かな隙間が形成される。内容物がアイスクリーム等の固形物であればこれら隙間から内容物が浸み出す可能性は殆ど無いが、本実施形態では念のために、接合部１２ｘ、２２ｘと胴部１２の上端開口縁１２ａの交差部に、胴部１２，２２にわたってシール４０を貼り、上記僅かな隙間を密閉している。このシール４０は、上部構成体２０を下部構成体１０から外す際に剥がせばよい。
【００４５】
次に、本発明の第３実施形態をなす容器本体２について図１６、図１７を参照しながら説明する。本実施形態では、胴部１２の接合部１２ｘと胴部２２の接合部２２ｘを周方向に隣接させ、重ね代Ｗにおいて、胴部１２の内側の側縁１２ｚと胴部２２の外側の側縁２２ｙとを突き合わせるか接近させる。これにより接合部１２ｘ、２２ｘの近傍に生じる隙間を最小限にすることができる。
【００４６】
上記接合部１２ｘ、２２ｘが図１４に示すように離れているか、図１６に示すように隣接するかに拘わらず、上記胴部１２の上端開口縁１２ａに沿って全周にわたりテープ状のシール４５（図１６に想像線で示す）を貼ることにより、胴部１２の上端開口縁１２ａと胴部２２の間を完全にシールしてもよい。
【００４７】
次に、本発明の第４実施形態を図１８〜図２０を参照しながら説明する。本実施形態の蓋３０Ａでは、支持部３１及び内側の当接部３３は同一高さをなし、外側の当接部３５より高い位置にある。当接部３５は収容部３２の底部３２ａと同じ高さにある。
【００４８】
上記当接部３３と当接部３５が、テーパをなす起立壁３８により連なっている。起立壁３８には径方向内方向に突出する係止凸部３８ａ（第２係止部）が周方向に間隔をおいて複数形成されている。
上記収容部３２の内側の側壁３２ｃは緩やかに傾斜しており、この側壁３２ｃから支持部３１にかけて、下方に突出する複数の補強リブ３９が放射状に形成されている。
【００４９】
上記構成の蓋３０Ａによれば、当接部３５より支持部３１が上方に位置しているので、容器本体１０にカール部２２ａぎりぎりに内容物を充填しても、蓋３０Ａの装着時に支持部３１が内容物に接しない。
【００５０】
本実施形態において、蓋３０Ａは上部構成体２０の胴部２２に被せられる際には、第１実施形態と同様にして位置決めされる。蓋３０Ａは、下部構成体１０の胴部１２に被せられる際には、係止凸部３８ａが胴部１２の上端開口縁１２ａに係止されることにより、位置決めされる。
本実施形態では、容器の積み重ね状態において、第１実施形態と同様に、蓋３０Ａの収容部３２の外側の側壁３２ｂが上段容器の下部構成体１０の環状突起１３を係止して上段容器の位置決めを行う。
【００５１】
本実施形態の蓋３０Ａは、図２０に示すように積み重ねることができる。上段の蓋３０Ａの起立壁３８の下端部が下段の蓋３０Ａの起立壁３８の上端部に係止し、位置決めされる。また、上段の蓋３０Ａの係止凸部３８ａの底部が下段の蓋３０Ａの当接部３３に載ることにより蓋３０Ａ間の間隔を確保できる。
【００５２】
次に、本発明の第５実施形態を図２１〜図２３を参照しながら説明する。本実施形態の蓋３０Ｂでは、内側の当接部３３と外側の当接部３５が面一をなして連なっている。支持部３１は当接部３３，３５より高い。
収容部３２の外側の側壁３２ｂが低く、内側の側壁３２ｃが高い。図２２に示すように、外側の側壁３２ｂは、下部構成体１０の上端開口縁１２ａを係止する第２係止部としての役割を担い、内側の側壁３２ｃは上段容器の下部構成体１０の環状突起１３を係止する第３係止部としての役割を担う。
【００５３】
上記側壁３２ｂには、径方向内方向に突出する凸部３２ｅが形成されている。図２３に示すように蓋３０Ｂの積み重ね状態で、上段の蓋３０Ｂの凸部３２ｅの底部が下段の蓋３０Ｂの支持部３１に載ることにより、上下段の蓋３０Ｂの間隔が確保される。
【００５４】
図２４に示す本発明の第６実施形態では、下部構成体１０の胴部１２の上端開口縁１２ａが、上部構成体２０の胴部２２と同様にカール部となっている。この実施形態では、例えば図２１〜図２３に示す蓋３０Ｂを用いることができる。
【００５５】
図２５、２６に示す本発明の第７、第８実施形態の下部構成体１０’は、上述した実施形態と異なり、環状突起１３を持たない。それに対応して、各実施形態の蓋３０’、３０Ａ’は、上述した実施形態の環状の収容部３２の代わりに、円形の浅い凹部からなる収容部３２’を有している。この収容部３２’は、蓋３０’、３０Ａ’の中央部を含む広い領域を占めている。この凹部３２’に下部構成体１０’の胴部１２の下端部が収容され、収容部３２’の環状の側壁３２ｂ’（第３係止部）によって位置決めされる。凹部３２’の平坦な底部は、下部構成体１０’の底部１１を受ける支持部３１’として提供される。
【００５６】
図２７（Ａ）〜（Ｆ）は、下側胴部と上側胴部のさらに異なる実施形態をそれぞれ示している。
図２７（Ａ）、（Ｂ）の実施形態では、下側胴部１２と上側胴部２２のテーパ角度が異なっている。
図２７（Ａ）のように上側胴部２２のテーパ角度が大きい場合には、下側胴部１２の上端開口縁１２ａと、上側胴部２２の外周面において重ね代Ｗの上縁に対応する箇所が、互いに当たる環状の係合部として提供される。
図２７（Ｂ）に示すように下側胴部１２のテーパ角度が大きい場合には、上側胴部２２の下端開口縁２２ｂと、下側胴部１２の内周面において重ね代Ｗの下縁に対応する箇所が、互いに当たる環状の係合部として提供される。
【００５７】
図２７（Ｃ）に示す実施形態では、下側胴部１１２の上端部１１２ｘ（上部）のみがテーパをなし、他の部位１１２ｙは径が等しい円筒形状をなしている。同様に上側胴部１２２の下端部１２２ｘ（下部）のみがテーパをなし他の部位１２２ｙは円筒形状をなしている。下側胴部１１２の上端部１１２ｘと上側胴部１２２の下端部１２２ｘは、第１実施形態と同様の関係をなし、面接触状態で接している。
【００５８】
図２７（Ｄ）に示す実施形態では、下側胴部２１２の上端部２１２ｘのみが円筒形状をなし、他の部位２１２ｙはテーパをなしている。同様に上側胴部２２２の下端部２２２ｘのみが円筒形状をなし他の部位２２２ｙがテーパをなしている。下側胴部２１２の上端部２１２ｘの内径と上側胴部２２２の下端部２２２ｘの外径は等しく（挿入を容易にするための僅かなクリアランスは無視する）、重ね代Ｗにおいて、下側胴部２１２の上端部２１２ｘの内周面と上側胴部２２２の下端部２２２ｘの外周面が面接触する。この実施形態では、下側胴部２１２の上端開口縁２１２ａと、上側胴部２２２において重ね代Ｗの上縁に対応する箇所（円筒形状の下端部２２２ｘとテーパ形状の部位２２２ｙの境）が互いに当たる環状の係合部として提供されるとともに、上側胴部２２２の下端開口縁２２２ｂと、下側胴部２１２において重ね代Ｗの下縁に対応する箇所（円筒形状の上端部２１２ｘとテーパ形状の部位２１２ｙの境）が互いに当たる環状の係合部として提供される。
図２７（Ｄ）の実施例において、下側胴部２１２、上側胴部２２２のいずれか一方は、全長にわたって円筒形状であってもよい。
【００５９】
図２７（Ｅ）、（Ｆ）に示す実施形態において、重ね代Ｗでの上側胴部と下側胴部の関係は図２７（Ｄ）と同様である。以下詳述する。
図２７（Ｅ）の実施形態では、下側胴部３１２は均等な径の円筒形状をなし、上側胴部３２２は、下端部３２２ｘが短円筒形状をなし、残りの部位３２２ｙが下端部３２２ｘより径の大きな円筒形状をなしており、両者の境に段差３２２ｚが形成されている。この実施形態では、下側胴部３１２の上端開口縁３１２ａと上側胴部３２２の段差３２２ｚが、互いに当たる環状の係合部として提供される。
図２７（Ｆ）に示す実施形態では、上側胴部４２２は均等な径の円筒形状をなし、下側胴部４１２は、上端部４１２ｘが短円筒形状をなし、残りの部位４１２ｙが上端部４１２ｘより径の大きな円筒形状をなしており、両者の境に段差４１２ｚが形成されている。この実施形態では、上側胴部４２２の下端開口縁４２２ｂと下側胴部４１２の段差４１２ｚが、互いに当たる環状の係合部として提供される。
【００６０】
本発明は、上記実施形態に制約されず、種々の態様を採用することができる。容器に充填される内容物はアイスクリームやシャーベットに制約されず、他の固形物や半固形物であってもよい。
【００６１】
第１実施形態の上側胴部１０において隆起部２２ｃより上の部位はテーパでなくてもよい。
下部構成体と上部構成体は横断面形状が非円形であってもよい。
上部構成体は分離可能な２段の胴部で構成してもよい。これら胴部も上述した実施形態の重ね代と同様にして互いに嵌め合わされる。
下部構成体および上部構成体は、樹脂製であってもよく、蓋は紙製であってもよい。
【産業上の利用可能性】
【００６２】
本発明は、アイスクリーム等を収容する容器に適用できる。
【符号の説明】
【００６３】
１  容器
１’  低い容器
２  容器本体
１０  下部構成体
１１  底部
１２  胴部（下側胴部）
１２ａ  上端開口縁
１３  環状突起
２０  上部構成体
２２  胴部（上側胴部）
２２ａ  カール部（上端開口縁）
２２ｂ  下端開口縁
３０，３０Ａ，３０Ｂ  蓋
３１  支持部
３２  収容部
３３  内側当接部（第２当接部）
３２ｂ  側壁（第２係止部，第３係止部）
３２ｃ  側壁（第３係止部）
３４  係止凸部（第２係止部）
３５  外側当接部（第１当接部）
３６  周縁部（第１係止部）
３８ａ  係止凸部（第２係止部）
【図１】
2015199504.tif 000003
【図２】
2015199504.tif 000004
【図３】
2015199504.tif 000005
【図４】
2015199504.tif 000006
【図５】
2015199504.tif 000007
【図６】
2015199504.tif 000008
【図７】
2015199504.tif 000009
【図８】
2015199504.tif 000010
【図９】
2015199504.tif 000011
【図１０】
2015199504.tif 000012
【図１１】
2015199504.tif 000013
【図１２】
2015199504.tif 000014
【図１３】
2015199504.tif 000015
【図１４】
2015199504.tif 000016
【図１５】
2015199504.tif 000017
【図１６】
2015199504.tif 000018
【図１７】
2015199504.tif 000019
【図１８】
2015199504.tif 000020
【図１９】
2015199504.tif 000021
【図２０】
2015199504.tif 000022
【図２１】
2015199504.tif 000023
【図２２】
2015199504.tif 000024
【図２３】
2015199504.tif 000025
【図２４】
2015199504.tif 000026
【図２５】
2015199504.tif 000027
【図２６】
2015199504.tif 000028
【図２７】
2015199504.tif 000029